(57)【要約】【課題】作動レバー７０の開放を迅速かつ容易に行うことができ、作動レバー７０の開放時にも、本体１０のグリップ部分１５内に設けられた作動室１４内を外部から見えないように遮蔽することができる調理容器用分離型取っ手を提供する。【解決手段】作動室１４の後方部分に嵌挿されて作動レバー７０の支持部を収納する支持ケース２０と、支持ケース２０内で前後に摺動する作動竿３０と、前後に摺動して加圧部が調理容器の内壁を加圧する加圧片１８と、作動レバー７０を所定の開放状態及び閉鎖状態にそれぞれ維持するための、ローラー２８,７２及び作動竿３０の後部の湾入部３２,３４からなる機構と、本体１０の前方上部に設けられたボタン８０とを含む。作動レバー７０は、その開放時に作動室１４を遮蔽する左右側板７４,７５及び前面板７６を有し、前記左右側板７４,７５の前方上端部にはボタン８０と接触する接触突部７８,７９を備える。【選択図】図５
2011206510.tif 000002
【特許請求の範囲】
【請求項１】
前方端部に支え具（１２）を有し、その後方に延びるグリップ部分（１５）内に作動室（１４）を形成した本体（１０）と、
作動室（１４）の後方部分内に固定設置される支持ケース（２０）と、
支持ケース（２０）内に配置され、案内ローラ（２８）を通じて支持ケース（２０）から前後方向に案内される作動竿（３０）と、
前記支え具（１２）と組み合わさって調理容器（Ｂ）の側壁を挟持するための加圧部（５１）を前方端部に有し、前記作動竿（３０）に連結具（４０）を通じて連結される加圧片（５０）と、
作動室（１４）内に収納され、支持ケース（２０）を作動室（１４）の側壁に固定する固定ピン（２２）により本体（１０）に回転可能に連結される作動レバー（７０）とを含み、
作動レバー（７０）がその後端に支持ローラ（７２）を有し、作動レバー（７０）は、作動室（１４）内に収納されたままの閉鎖時、及び、作動室（１４）から引き出された開放時に、支持ローラ（７２）が、案内ローラ（２８）と接触して回転方向への力を受けるか、又は、前記作動竿（３０）のローラ着座用湾入部（３２）に嵌挿されることによって、解除可能に係止され、これにより本体（１０）に対する作動レバー（７０）の開閉角が所定の値に維持される調理容器用分離型取っ手において、
本体（１０）の上部前方に備えられ、使用者による上方からの押し下げ操作が可能なボタン（８０）と、
ボタン（８０）と本体（１０）との間にて、ボタン（８０）を押し下げ前の初期の姿勢または位置に復帰させるバネ力を与えるための板スプリング（８２）とを備え、
作動レバー（７０）には、開放時に前記作動室（１４）の下部開口を外部から遮蔽する左右の側板（７４）（７５）及び前面板（７６）が備えられ、左右の側板（７４）（７５）の上部には、押し下げ操作の際に、ボタン（８０）から作動レバー（７０）へ力を伝えるようにボタン（８０）と接触する接触突部（７８）（７９）が突出形成されていることを特徴とする調理容器用分離型取っ手。
【請求項２】
作動竿（３０）と加圧片（５０）との間に掛け渡されて、これらを連結する前記連結具（４０）は、連結具本体部（４１）と、鉤（かぎ）状に曲げて形成された前方及び後方の連結部（４２，４３）とからなることを特徴とする請求項１に記載の調理容器用分離型取っ手。
【請求項３】
連結具（４０）における前方及び後方の連結部（４２，４３）は、連結具本体部（４１）を挟んで互いに相反した方向へと鉤（かぎ）状に曲げて形成されたことを特徴とする請求項２に記載の調理容器用分離型取っ手。
【請求項４】
連結具（４０）における前方及び後方の連結部（４２，４３）は、連結具本体部（４１）を挟んで同一方向へと鉤（かぎ）状に曲げて形成されたことを特徴とする請求項２に記載の調理容器用分離型取っ手。
【請求項５】
連結具（４０）は、連結具本体部（４１）と、前方または後方の連結部（４２，４３）との間に、スプリング部（４４）を備えることを特徴とする請求項２に記載の調理容器用分離型取っ手。
【発明の詳細な説明】
【技術分野】
【０００１】
本発明は、フライパンや鍋などの各種調理容器に用いられる分離型取っ手に関するものである。
【背景技術】
【０００２】
調理容器用分離型取っ手は、大きさや形態などが異なる多様な種類の調理容器の取っ手として用いることができ、非常に経済的である。また、調理容器の包装時の体積を減少させることができ、物流費用を節減することができる。さらに、使用時にも空間を少なく占めるので、非常に便利に用いることができる。
【０００３】
このような調理容器用分離型取っ手については、既に特許文献１に開示したことがある。この特許文献１によれば、取っ手の前方に突出形成され、支え具と対向する狭持竿は、取っ手の空間部内に前後に作動するように設置される作動竿と間隔調節スプリングで連結される。ここで、作動竿は、取っ手に軸ピンで連結されるレバーの開閉作動によって前後にスライディングし、狭持竿を前進又は後退させ、その結果、取っ手を調理容器に結合して固定したり、又は調理容器から分離するように構成される。
【０００４】
したがって、このような構造の調理容器用分離型取っ手によれば、基本的な機能は満足できる。しかし、次のような問題があった。分離型取っ手と調理容器との結合又は分離のためのレバーの回転作動が、レバーの両側に突出形成される係止片によって行われる。そのため、取っ手を調理容器から分離しようとする場合、取っ手を把持している親指と人差し指を広げ、取っ手下部のレバーの両側係止片を下方に深く押し動かさなければならない。そのため、取っ手を調理容器から分離する動作が非常に不便かつ困難であった。
【０００５】
そして、取っ手からレバーが開放されるとき、取っ手の底部に凹入形成される空間部はもちろんのこと、その空間部内に設置される作動竿と間隔調節スプリングなどの各関連部品が全て露出する。そのため、外観が美麗でないだけでなく、製品に対する安全性及び信頼性を低下させるという問題がある。
【先行技術文献】
【特許文献】
【０００６】
【特許文献１】韓国実用新案登録第183391号（20-0183391）
【特許文献２】特開2001-037655
【発明の概要】
【発明が解決しようとする課題】
【０００７】
本発明の目的は、作動レバーの開放を迅速かつ容易に行うことができ、作動レバーの開放時にも、作動室内を外部から見えないように遮蔽することによって各関連部品の露出を防止することができる調理容器用分離型取っ手を提供することにある。
【課題を解決するための手段】
【０００８】
前記のような目的を達成するための本発明に係る分離型取っ手は、本体の上面に突出形成されるボタンの押し動作によって作動レバーが開放され、作動レバーの開放時、作動レバーの両側板及び前面板によって本体の作動室の露出が防止されるように構成することを特徴とする。
【発明の効果】
【０００９】
本発明の分離型取っ手であると、調理容器から分離型取っ手を分離しようとする際、親指を除いた４本の指で本体を安定的に把持した状態で、親指を用いて本体の上部に突出したボタンを押したときに、作動レバーが開放される。そして、調理容器から分離型取っ手が分離される。すなわち、このように構成することによって、調理容器から分離型取っ手を簡単かつ迅速に分離することができる。また、分離型取っ手の分離のための作動レバーの開放時、作動レバーの左右側板及び前面板が本体の作動室の入口を遮断することによって各関連部品の露出を防止する。そのため、作動レバーの開放時にも、滑らか、かつ美麗な外観を維持できるとともに、視覚的に製品に対する安全性及び信頼性を保障できるようになる。
【００１０】
さらに、作動竿と加圧片は、鉄線を曲げてなる連結具で連結されるので、連結具の製造原価の節減によって製品の価格競争力を高められるとともに、長い間使用するとしても連結具による加圧片の支持力が弱化するおそれがないので、使用寿命を保障できるようになる。
【図面の簡単な説明】
【００１１】
【図１】本発明の一実施例の調理容器用分離型取っ手を示す斜視図である。
【図２】図１の調理容器用分離型取っ手の分解斜視図である。
【図３】図１の調理容器用分離型取っ手に用いられる作動レバーを示す斜視図である。
【図４】図１の調理容器用分離型取っ手の作動前の状態を示す断面構成図である。
【図５】図１の調理容器用分離型取っ手の作動時の状態を示す断面構成図である。
【図６】図１の調理容器用分離型取っ手を調理容器に結合して固定する状態を示す側面構成図である。
【図７】本発明に係る調理容器用分離型取っ手を調理容器から分離する状態を示す側面構成図である。
【図８】本発明の他の実施例に係る調理容器用分離型取っ手を示す断面構成図である。
【図９】本発明の更に他の実施例に係る調理容器用分離型取っ手を示す断面構成図である。
【図１０】本発明の更に他の実施例に係る調理容器用分離型取っ手を示す断面構成図である。
【図１１】本発明の更に他の実施例に係る調理容器用分離型取っ手を示す断面構成図である。
【発明を実施するための形態】
【００１２】
以下、本発明の好適な実施例を添付の図面に基づいて詳細に説明する。ここで、各図面における同一の構成要素は、可能な限り同一の符号で記載しており、関連した公知技術や機能についての具体的な説明は、本発明の要旨が曖昧になることを防止するために省略することにする。
【００１３】
図１は、好適な一実施例の調理容器用分離型取っ手を示す斜視図であり、図２は、図１の調理容器用分離型取っ手の分解斜視図であり、図４は、図１の調理容器用分離型取っ手についての長さ方向の中心軸及び垂直方向に沿った断面図である。本発明の好ましい一実施形態の分離型取っ手Ａは、(1)調理容器Ｂの側壁にその外面側から突き当てられる支え具１２と、これより後方へと長く延びて、底部側へと開いた作動室１４を形成するグリップ部分１５とからなる前後に長い本体１０と、(2)側壁及び底壁からなり、本体１０の作動室１４の後方部分中に嵌め込まれて該後方部分にて作動室１４の下方への開口を閉塞し、前方側の第1固定ピン２２及び後方側の第2固定ピン２４でもって、作動室１４の側壁に固定される支持ケース２０と、(3)支持ケース２０内に前後に摺動可能に支持され、前方端部が支持ケース２０の前方に突き出し、後方端部が上方側及び下方側のローラ着座用湾入部３２、３４を形成している作動竿（作動片）３０と、(4)下方側のローラ着座用湾入部３４に、受け入れられて突き当てられ、左右方向に延びる軸部が支持ケース２０内面の前後方向の案内溝２６に差し込まれることにより、前後に摺動可能に設置される案内ローラ２８と、(5)調理容器Ｂの側壁をその内面側から押圧する加圧部５１と、この上端部から後方へと延びる直線部５３とからなり、該直線部５３に係止段部５２を有し、該直線部５３が、本体１０の前方部分（特には支え具１２）を前後方向に貫く作動孔１６に挿通されることで本体１０に組み合わされる加圧片５０と、(6)作動竿３０の前方端部と加圧片５０の直線部５３の後方端部とを連結する連結具４０と、(7)加圧片５０の係止段部５２と、本体１０の作動室１４の内面に設けられる係止片１８との間に配置されて、加圧片５０を前方へと押し出す弾性復元力を付与する復帰スプリング６０と、(8)作動室１４の前方部分内に収納可能なケーシング部７０Ａと、支持ケース２０内に収納される支持部７０Ｂと、支持部７０Ｂの後端部分に、左右方向の軸まわりに回転可能に接続された支持ローラ７２とからなり、支持部７０Ｂの前方部分に設けられた軸孔７１に前記第1固定ピン２２が挿通されることで、本体１０から回転可能に支持される作動レバー７０と、(9)作動室１４の前方部分の上方に、本体１０の上面側から押し下げ可能に設置され、押し下げ操作により作動レバー７０のケーシング部７０Ａを押し下げ可能であるボタン８０とを含んで構成される。
【００１４】
作動レバー７０のケーシング部７０Ａは、底板７７と左右の側壁７４、７５とからなり、ケーシング部７０Ａが作動室１４内に収納された状態にて、底板７７が、作動室１４の前方部分における下方への開口を閉塞する。作動レバー７０のケーシング部７０Ａは、さらに、前面板７６を含んでいる。この前面板７６は、作動レバー７０が開放状態にあるとき、すなわち、ケーシング部７０Ａが作動室１４内に収納された状態（作動レバー７０の閉鎖状態）から作動レバー７０が回転して、ケーシング部７０Ａの側壁７４，７５が最も大きく露出した状態でも、ケーシング部７０Ａの内部、及び、作動室１４の内部が、下方から見えないように覆う役割を果たす。また、この状態で、使用者の指がどのような具合にケーシング部７０Ａに触れても、指が、穴に入ってしまうことや、引っ掛かることがない。
【００１５】
一方、作動レバー７０の後端部に設けられた支持ローラ７２と、案内ローラー２８とは、ローラー面同士が突き当てられるようにして組み合わされている。支持ローラ７２は、作動レバー７０が閉鎖状態にあるとき、案内ローラー２８の前方側にある。また、作動竿３０の直線部３１の中心軸を通る線を作動中心軸とした場合、作動中心軸から支持ローラ７２の軸までの距離が、作動中心軸から案内ローラー２８の軸よりも、少し大きい。すなわち、作動レバー７０の閉鎖状態においては、支持ローラ７２と案内ローラー２８とが互いに押し付けられるように力を受けることで、支持ローラ７２が案内ローラー２８から下方への力を受けて、閉鎖状態を維持する。一方、作動レバー７０が閉鎖状態から開放状態へ移行する際には、支持ローラ７２と案内ローラー２８とが互いに組み合わさって回転しつつ、支持ローラ７２が案内ローラー２８の上方へと送られる。この際、作動竿３０及び／、または連結具４０（すなわち、少なくともこれらの一方）により作られている強いバネ力により、案内ローラー２８が前方へと押されている。支持ローラ７２が、一旦、案内ローラー２８を後方へと少し押し動かして乗り越えた後は、支持ローラ７２が案内ローラー２８から受ける力により上方へと押し上げられる。すると、支持ローラ７２が上方側のローラ着座用湾入部３２に着座するまで、案内ローラ２８、作動竿３０及び連結具４０が、加圧片５０とともに、復帰スプリング６０の作用により前方へと送られる。このようにして、作動レバー７０が開くとともに、加圧片５０が前方へと移動して、支持具１２と加圧部５１とによる、調理容器Ｂの側壁に対する把持が解除される。支持ローラ７２が上方側のローラ着座用湾入部３２に着座した状態では、支持ローラ７２が、ローラ着座用湾入部３２
と、案内ローラ２８との間に挟みこまれており、安定に保持される。そのため、作動レバー７０は、所定角度の開放状態に、安定に維持される。なお、この着座の際、好ましくは、ローラ着座用湾入部３２の内面全体に、支持ローラ７２のローラ面が突き当てられる。一方、作動レバー７０を閉鎖して行くためには、支持ローラ７２が案内ローラー２８を通じて作動竿３０を後方に押し動かす必要があり、この際、まず、復帰スプリング６０が圧縮されて加圧部５１と支持具１２との間が閉じられる。
【００１６】
作動レバー７０のケーシング部７０Ａは、好ましい一実施形態において、前面板７６が、底板７７の前方端部から滑らかに連続するように延びている。底板７７は、作動室１４の側壁の下端の湾曲に沿って延びる部分である。そのため、開放時には、下方へと円弧状に膨出するため、角がなく、取り扱い性に優れ、外観意匠上も優れる。図４に示すように、前面板７６の上端は復帰スプリング６０の下端の高さにまで延びている。これは、加圧片50及び復帰スプリング６０を本体１０に組付けるのを妨げないためである。図５の開放状態では、下方前方へとケーシング部７０Ａの内部が露出するが、通常の使用状態で見えない箇所である。図４に示すように、図示の例において、ケーシング部７０Ａの側壁７４，７５の前方上端部は、作動レバー７０の閉鎖時に、作動室１４の天井壁の開口１７を挿通して、ボタン８０の内部に入り込んでいる。特には、側壁７４，７５の前方上端部が、ボタン８０の天井壁に接触している。ケーシング部７０Ａの側壁７４，７５は、前方上端付近の一部が、作動レバー７０の閉鎖時に、作動室１４の側壁と、係止片１８の左右端との間の隙間に嵌挿される。図示の具体例で、この嵌挿を容易にするために、側壁７４，７５の内面には、壁の厚みを部分的に小さくするための浅い凹部７３が設けられている。
【００１７】
ボタン８０は、作動レバー７０のケーシング部７０Ａにおける前方上端部を押し下げ可能なように、本体１０の上面側に設けられる。また、作動室１４の天井壁に設けられた開口１７を通じて、ボタン８０の一部、ケーシング部７０Ａの一部、または、中間の連結部材が挿通することで、ボタン８０の押し下げの動きが、ケーシング部７０Ａに伝えられる。ボタン８０は、好ましくは、左右方向の軸まわりを起伏可能に本体１０から支持され、バネにより、押し下げ前の姿勢に復帰可能となっているとともに、３０度以下の所定角度だけ開いた状態で維持される。ボタン８０は、好ましくは、本体１０の上面に設けられた軸受け部１１から支持される。また、ボタン８０と本体１０の上面との間に断面がＶ字状の板スプリング８２が備えられており、板スプリング８２は、一端部がボタン８０の下面に接続し、他端部が本体１０の上面に接続している。これにより、押し下げ前には、ボタン８０の天井壁と、本体１０の上面との開き角度が、板スプリング８２の初期の開き角度に、等しいか、または少し小さい角度に維持される。図２中に示す具体例において、ボタン８０の天井壁の下面には、中央部に、板スプリング８２の端部の孔に嵌挿される突起と、この嵌挿の際に、板スプリング８２の端部の外周が突き当てられるリブ状の突起が設けられている。
【００１８】
図１〜２に示すように、図示の具体例で、ボタン８０の根元部の左右端部に、左右方向外側へと突き出すヒンジ部８１が備えられ、軸受け部１１の孔に差し込まれている。また、ボタン８０の天井壁には、中央線に沿って後端から延びる切込み８３が、ボタン８０の前後寸法の3〜5割程度の長さに設けられ、これにより、ボタン８０のヒンジ部８１を軸受け部１１に嵌め込む操作が容易になっている。また、図示の具体例で、ボタン８０の前方壁には、円弧状または楕円弧状の縁部からなる湾入部８４が設けられている。これに対応して、作動室１４の天井壁の前方端部から、支持具１２の上面の後方端部にかけて、膨出部１９が設けられている。この膨出部１９は、後方の壁面が、ボタン８０の前方壁が前方に膨出するのに合わせた形状及び位置に設けられ、ボタン８０の湾入部８４が分離型取っ手Ａの外面に現れないようにする。湾入部８４は、ボタン８０が押し下げられた状態で、復帰スプリング６０に突き当たらないようにするものである。
【００１９】
以下には、調理容器用分離型取っ手Ａをなす各要素について、好ましい実施形態における詳細な構成について説明する。
【００２０】
本体１０は、中実の金属体からなる支え具１２と、下方に開いた作動室１４をなすように断面がコの字状であるグリップ部１５と、後方端部に設けられたフック孔形成部１６とからなる。支え具１２は、前方の面が、調理容器Ｂの側壁に突き当てられる支え面１２Ａと、その上方の段部１３とからなる。段部１３は、調理容器Ｂの側壁の上縁部に設けられるビード部またはフランジ部を受け入れるためのものであり、段部水平面１３Ａと、段部垂直面１３Ｂとからなる。段部垂直面１３Ｂには、その中央部に、加圧片５０の直線部分５３が嵌挿される作動孔１６が現れている。作動孔１６は、加圧片５０の直線部分５３が、水平な板状であることに合わせて、断面が、水平方向に長い扁平な矩形状である。特には、直線部分５３中、最も左右方向寸法の大きい前方部分に合わせられている。
【００２１】
本体１０の作動室１４の内面に設けられる係止片１８は、作動室１４の天井壁における左右端部を除くほぼ全幅から垂直下方へと延びる左右方向の板状突起として設けられ、このリブの中心には、加圧片５０の直線部５３が挿通される開口１８Ａが設けられる。この開口１８Ａは、段部５２により左右寸法の小さくなった直線部５３の後方部分が嵌挿されるように形成される。作動室１４の天井壁に設けられる開口１７は、後方へと開いた略コの字状に設けられる。そして、この略コの字状の内側をなす舌状部には、先端部に板スプリング８２の端部を差し込む傾斜したスリットが備えられる。
【００２２】
支持ケース２０は、図２に示すように一つの一体の部材からなるが、左側部材と、右側部材とが組み合わさるように構成することもできる。支持ケース２０の左右の側壁には、前方端の下部に第1固定ピン２２を挿通する孔２２Ａが設けられ、後方端の上部に、第2固定ピン２４を挿通する孔２４Ｂが設けられる。すなわち、左右方向から見た場合、対角の位置にある隅部にて、固定ピンを通じて、本体１０から支持される。支持ケース２０の前方上端部には、作動竿３０の直線部３１が嵌挿される通し孔２１が設けられる。この通し孔２１は、図示の例で、左右の側壁の間に掛け渡された上下の水平板状部分からなる。一方、案内ローラ２８の左右方向両側から突き出すローラ軸２８Ａが、それぞれ、左右の側壁の内面に設けられた案内溝２６に差し込まれている。案内溝２６は、図示の具体例で、支持ケース２０の後端にまで延びており、支持ケース２０の後方の開口から、案内ローラ２８を支持ケース２０に容易に組付けることができる。すなわち、支持ケース２０は、案内ローラ２８及び作動竿３０を後方から組付けた後、本体１０の作動室１４の後方部分に嵌め込まれ、第1及び第2固定ピン３２，３４が差し込まれて固定される。なお、図示の具体例で、支持ケース２０の外面に垂直方向のガイド溝２０Ａが設けられ、これに対応して作動室１４の内面に垂直方向のガイド突起１４Ａが設けられている。これらにより、支持ケース２０を所定の位置に容易に嵌め込むことができる。
【００２３】
作動竿（作動片）３０は、水平板状に前後方向へとまっすぐ延びる直線部３１と、この後方端から延び垂直断面にて滑らかに湾曲する湾曲部３３とからなる。湾曲部３３は、上下のローラ着座用湾入部３２，３４を形成するとともに、部分的に、板バネとして案内ローラ２８に前方へのバネ力を加える役割も果たす。また、直線部３１は、支持ケース２０の通し孔２１中を摺動する部分であり、引っ張りの力を伝達する役割を果たす。作動竿３０の前方端部には、連結具４０の後方端にある鉤状の連結部４３が挿通される連結孔３５が設けられている。湾曲部３３は、ほぼ、上下のローラ着座用湾入部３２，３４をなす部分のみからなり、これら湾入部３２，３４が、実質上、互いに連続している。図示の例であると、作動竿３０は、１本の短冊状の細長い金属板から、曲げ加工及びパンチ加工により容易に製造することができる。図示の例で、案内ローラ２８の下端と、支持ケース２０の底壁との間には、接触しないように、多少のクリアランスが設けられている。また、図示の例で、案内ローラ２８の径が、支持用ローラ７２の径より大きく、1.3〜1.6倍である。下方側のローラ着座用湾入部３４は、作動竿３０から案内ローラ２８へと、前方への押圧力を伝えるとともに、作動竿３０の後方端部が下方に垂れるのを防止するように案内ローラ２８により支える程度であれば良い。そのため、図示のように、案内ローラ２８の全周の1/3〜1/4に接する程度で良い。上方側のローラ着座用湾入部３２は、支持ローラ７２から加えられる上方への力を受けるように、上方へと湾入した部位からなる。但し、支持ローラ７２が着座した状態で、復帰スプリング６０による前方への力が支持ローラー７２にも伝えられるように、ローラ着座用湾入部３２は、全体として、上方から少し後方に傾斜した方向へと湾入した形に設けられている。
【００２４】
加圧片５０は、垂直に、または垂直から傾斜して延びる加圧部５１と、この上端から水平板状に後方へと延びる直線部５３とからなる。図示の例で、加圧部５１には、グリップ性を高めるための耐熱性樹脂などによる被覆がなされているとともに、後方の面に、水平方向に延びる複数の畝状パターンが形成されている。なお、支え具１２の支え面１２Ａにも、対応して水平方向に延びる複数の溝が設けられている。加圧片５０の直線部５３には、後方から、係止段部５２に至るまで、コイル状の復帰スプリング６０が被せられている。直線部５３の後方端部には、連結具４０の前方端部にある鉤部（連結部）４２が挿通する連結孔５４が設けられる。加圧片５０の直線部５３と、作動竿３０の直線部３１とは、中心軸が互いに一致するように構成されている。すなわち、作動孔１６、係止片１８の孔１８Ａ、及び、支持ケース２０の通し孔２１は、互いに中心軸が一致するように設計されている。
【００２５】
連結具４０は、支持ケース２０及び加圧片５０が本体１０に組み付けられた後に、加圧片５０と作動竿３０とを容易に連結できるようにする部材である。なお、加圧片５０と作動竿３０とを一体に設けると、組み立てが困難となる。連結具４０は、組み立ての際の操作が容易なように、円弧状の鉤部（連結部）４２，４３を前方端及び後方端に備えるのが好ましい。また、製造を容易にするためには、断面円形の線材に簡単な曲げ加工を加えたものであるのが好ましい。連結具４０は、作動竿３０の湾曲部３３とともに、閉鎖状態を安定に維持するためのバネ定数の高いバネ構造をなすものであっても良い。
【００２６】
上述のように、支持ケース２０内に設置される作動竿３０は、上下の結合用凹陥部３２、３４間の間隔を狭く形成し、下部結合用凹陥部３４に結合される案内ローラ２８の直径を小さく形成することによって、本体１０からの作動レバー７０の開閉角（振れ動きの角度）を最小化することが望ましい。支持ローラ７２、案内ローラ２８、及び上下の結合用凹陥部３２、３４からなる所定回転角で係止する機構により、作動レバー７０の開閉角は、好ましくは10〜40度、より好ましくは10〜30度の所定の値に維持される。
【００２７】
図２及び４〜５に示す具体例において、作動竿３０と加圧片５０との間に連結される連結具４０は、直線加工された細い鉄線を用い、直線状の連結具本体部４１（支持部）の前後にて、端部の連結部４２，４３を、互いに相反した方向へと湾曲させることで形成したものである。図示の例で、半円状に湾曲された連結部が４２，４３作動竿３０と加圧片５０の連結孔３５，５４に結合されることによって連結状態が維持される。
【００２８】
また、具体例において、作動竿３０を通して加圧片５０を作動させる作動レバー７０は、底板７７から両側板７４，７５及び前面板７６が延長形成され、両側板７４，７５の上端部には接触突部７８，７９が突出形成されたものである。図４に示す例において、閉鎖時には、接触突部７８，７９が、ボタン８０の天井壁の下面と接触する。
【００２９】
図８は、本発明の他の実施例に係る調理容器用分離型取っ手を示す、図４と同様の前後方向（取っ手の長さ方向）に沿った垂直方向断面図である。図８に示すように、作動竿３０と加圧片５０との間に連結形成される連結具４０は、支持部の前後端部の連結部を同一方向に折り曲げて形成することも可能である。
【００３０】
図９は、本発明の更に他の実施例に係る調理容器用分離型取っ手を示す、図４及び８と同様、作動中心軸に沿った垂直方向断面図である。図９に示すように、作動竿３０と加圧片５０との間に連結形成される連結具４０は、直線状の連結具本体部４１の前後に連結部４２，４３を同一方向へと鉤状に曲げるとともに、連結具本体部４１と連結部４２，４３との間に折曲部４５を備えることも可能である。
【００３１】
図１０は、本発明の更に他の実施例に係る調理容器用分離型取っ手を示す、図４などと同様の断面図である。図１０に示すように、作動竿３０と加圧片５０との間に連結形成される連結具４０は、直線状の連結具本体部４１の前後端部に、円弧状をなす鉤状の連結部４２，４３を曲げ加工により設け、連結具本体部４１といずれか一つの連結部４２，４３との間にコイル状のスプリング部４４を備えることも可能である。
【００３２】
図１１は、本発明の更に他の実施例に係る調理容器用分離型取っ手を示す、図４などと同様の断面図である。図１１に示すように、作動竿３０と加圧片５０との間に連結形成される連結具４０は、前後連結部４２，４３の間にコイル状のスプリング部４４のみを備えることも可能である。
【００３３】
本発明に係る分離型取っ手Ａは、図５及び図７に示すように、作動レバー７０が開放されれば、作動竿３０は、加圧片５０と共に復帰スプリング６０によって前進し、支え具１２との間に大きな隙間を確保するようになり、その結果、支え具１２と加圧片５０との間に調理容器Ｂを結合できるようになる。その後、図４及び図６に示すように、作動レバー７０が閉鎖されれば、加圧片５０は、作動竿３０とともに後退することで、支え具１２に支持される調理容器Ｂの内面を加圧固定する。その結果、調理容器Ｂと堅固な一体感を有するようになる。したがって、調理容器Ｂ用分離型取っ手Ａとしての基本的な機能を発揮するようになる。
【００３４】
すなわち、本発明に係る分離型取っ手Ａを調理容器Ｂに結合しようとする場合、まず、作動レバー７０の開放によって大きな隙間を有する支え具１２と加圧片５０との間に、調理容器Ｂの側壁上端部を挿入する。そして、この状態で作動レバー７０を時計方向に回転させれば、閉鎖が行われるようになる。このような作動レバー７０の閉鎖時、作動レバー７０の後端部のローラ７２が案内ローラ２８の反転点を越えれば、その後からは閉鎖方向に連結具４０及び／または作動竿３０の湾曲部３３（すなわち、これらの少なくとも一方）による強い弾性が与えられる。そのため、完全な閉鎖が行われることはもちろんのこと、人為的な力が加えられない限り、閉鎖状態を維持するようになる。
【００３５】
図２及び４〜５に示す一具体例において、連結具４０は、直線状の連結具本体部４１の両端部に互いに相反した方向に折り曲げられて形成される鉤部（連結部）４２，４３を通して、作動竿３０と加圧片５０との間に連結形成される。また、それぞれ連結具本体部４１から延びる湾曲状の鉤部（連結部）によって多少の弾性を有しながら強い支持力を発揮する。そのため、作動レバー７０の閉鎖時、加圧片５０に強い引張力が与えられる。したがって、分離型取っ手Ａを調理容器Ｂにより強固に連結して固定できるようになる。
【００３６】
また、作動竿３０と加圧片５０との間に連結形成される連結具４０は、図８及び図９に示すように形態を異ならせたり、図１０及び図１１に示すように各連結部間にスプリング部４４を持たせる場合も、作動レバー７０の閉鎖時、多少の弾性を有しながら強い支持力を発揮できるようになる。
【００３７】
そして、本発明に係る分離型取っ手Ａを調理容器Ｂから分離するために作動レバー７０を開放しようとする場合、親指を除いた残りの４個の指を用いて本体１０を安定的に把持した状態で親指を用いてボタン８０を押せば、接触突部７８を通してボタン８０と接触していた作動レバー７０が反時計方向に回転するようになる。また、ボタン８０による作動レバー７０の回転時、その端部のローラ７２が案内ローラ２８の反転点を越えれば、その後からは連結具４０及び復帰スプリング６０の弾性による回転によって完全な開放が行われるようになる。また、作動レバー７０は、完全に開放されるとき、その後端部のローラ７２が作動竿３０の結合用凹陥部３２に結合されることによって所定の開放角を維持するようになる。
【００３８】
したがって、調理容器Ｂから分離型取っ手Ａを分離しようとする場合、親指を除いた４個の指を用いて本体１０を安定的に把持した状態で親指を用いてボタン８０を押せば、作動レバー７０が開放され、調理容器Ｂから分離型取っ手Ａが分離されるので、分離型取っ手Ａを安定的に把持した状態で調理容器Ｂから簡単かつ迅速に分離できるようになる。
【００３９】
さらに、調理容器Ｂから分離型取っ手Ａを分離するために作動レバー７０を開放するとき、作動レバー７０の両側板７４及び前面板７６が本体１０の作動室１４の入口を遮断することによって、作動室１４はもちろんのこと、作動室１４内に設置される作動竿３０と引張スプリング４０などの各関連部品の露出を防止するようになる。その結果、作動レバー７０の開放時にも滑らかな外観を維持できるとともに、製品の安全性及び信頼性を高めることができる。
【００４０】
以上、本発明に係る分離型取っ手について説明したが、作動竿３０と加圧片５０との間に連結形成される連結具４０は、その形態を異ならせたり、又は各連結部間にスプリング部を持たせるなどの多様な実施例を例に挙げることができる。したがって、本発明の特許権利範囲は、上述した実施例によって限定されるものでなく、特許請求の範囲に記載された事項と均等な範囲の全ての技術的事項に及ぶものである。
【符号の説明】
【００４１】
Ａ  分離型取っ手        Ｂ  調理容器    １０  本体      １２  支え具    
１４  作動室            １６  作動孔    １８  係止片    ２０  支持ケース  
２２、２４  固定ピン    ２６  案内溝    ２８  案内ローラ        ３０  作動竿  
３２、３４  ローラ着座用湾入部          ４０  引張スプリング    ５０  加圧片  
５２  係止突起          ６０    復帰スプリング          ７０  作動レバー
７２  支持ローラ        ７４、７５  側板                ７６  前面板
７８  接触突部          ８０  ボタン                    ８２  板スプリング
【図１】
2011206510.tif 000003
【図２】
2011206510.tif 000004
【図３】
2011206510.tif 000005
【図４】
2011206510.tif 000006
【図５】
2011206510.tif 000007
【図６】
2011206510.tif 000008
【図７】
2011206510.tif 000009
【図８】
2011206510.tif 000010
【図９】
2011206510.tif 000011
【図１０】
2011206510.tif 000012
【図１１】
2011206510.tif 000013